(57)【特許請求の範囲】
【請求項１】
接地面に吸着させて接地する乳児用椅子であって、
外周側に環状に配した環状部を備え、
変形した自らの形状を復元させる復元力が作用する復元手段を、上記環状部の中央側に備え、
上記復元手段の下方に、該復元手段と上記環状部とで構成され、下方へ向けて開口した空間部を備え、
上記復元手段を、内部に流体を充填可能とする流体充填部により構成した
乳児用椅子。
【請求項２】
着座した乳児を支持する支持部を、前記復元手段の中央側に備え、
上記支持部を、上記復元手段を介して上記環状部に張設した
請求項１に記載の乳児用椅子。
【請求項３】
前記流体充填部と前記環状部との境界部、又は／及び、前記流体充填部と前記支持部との境界部に、それぞれを別空間に区分けする区分け部を具備した
請求項２に記載の乳児用椅子。
【請求項４】
前記復元手段における前記環状部の近傍側部位を、所定の厚みを確保して構成するとともに、上記復元手段における前記支持部の近傍側部位を、上記環状部の近傍側部位と比較して薄肉に形成した
請求項２又は３に記載の乳児用椅子。
【請求項５】
前記支持部には、乳児が着座しても変形しない強度を有する芯材を具備した
請求項２から請求項４のいずれか一項に記載の乳児用椅子。
【請求項６】
前記支持部が下方に押圧されるに伴って、着座した乳児の側に傾斜させて該乳児を背面側部分と股間部分との両側から保持する保持部を、前記環状部における上部側から立設した
請求項２から請求項５のいずれか一項に記載の乳児用椅子。
【発明の詳細な説明】
【技術分野】
【０００１】
この発明は、風呂場の床面など通常、滑り易いといわれる接地面であっても、該接地面に対して吸着させることで滑らないように接地することのできる乳児用椅子に関する。
【背景技術】
【０００２】
例えば乳児を、乳児用椅子を用いて沐浴させる場合、接地面は、水に濡れた状態となるため、該乳児用椅子は、接地面に対して滑り易くなる。
【０００３】
ところで、上記乳児用椅子には、内部に空気を充填させた形態を採るものが多数存在するが、このような乳児用椅子は、軽量であるとともに、外側は、通常、可撓性、及び、撥水性を有するシート状の袋体によって被覆して形成される。
【０００４】
このため、このような乳児用椅子を用いて乳児を沐浴させる場合、接地面に対して乳児用椅子が特に滑り易くなるため、沐浴させる手間を要するばかりでなく、乳児が転倒して怪我をしてしまうなどの危険性を伴うことがあった。
【０００５】
これに対して、乳児用椅子の中でも、接地面に対して、しっかりと接地するために下部を接地面に吸着させて用いるものが下記特許文献において開示されている。
【０００６】
上記特許文献において開示される「椅子等の固定装置」（以下、「固定装置」とする）の構成は、地面に接地される脚部と、該脚部に対して上側に連接された胴体部とを具備している。
【０００７】
さらに、上記固定装置には、上記胴体部の上面において張架され、下方へ押されて変形する荷重受部を具備している。上記脚部、及び、胴部における中央部であって、上記荷重受部の下側には、中空室を構成している。上記中空室は、該中空室における上記脚部と胴体部との上記境界付近に張架させた仕切り部により上下方向について区分けして構成される。つまり、中空室は、上方に位置する胴体部の中空室と、下方側に位置する脚部の中空室とに区分けされる。
【０００８】
但し、上記仕切り部には、小孔が設けられているため、胴体部の中空室と、脚部の中空室とは、互いに空気が連通状態に構成されている。
【０００９】
上記構成を採る「固定装置」に乳児が着座したとき、それに伴って荷重受部には、荷重が付与されるため、下側（中空室内）にたわみ変形する。このとき、胴体部の中空室内の空気が圧縮されると同時に、該胴体部の中空室内の空気は、上記仕切り部に設けた小孔を通じて脚部の中空室内の空気を圧縮することになるため、所定の量の空気が固定装置の下端部、すなわち、脚部と接地面との間から外部へ排出されることになる。
【００１０】
これにより、胴体部の中空室、及び、脚部の中空室は、ともに外気圧に対して減圧された状態となる。よって、上記「固定装置」は、地面に吸着された状態となり、しっかりと接地することができる旨が下記特許文献に開示されている。
【００１１】
しかし、上記「固定装置」は、以下のような課題、若しくは問題点を有する。  
まず、上記「固定装置」を接地面に対してしっかりと吸着させるためには、荷重受部を下側（中空室内）へ積極的に押し込む必要があるという問題を有する。
【００１２】
具体的には、上記荷重受部を下側へ積極的に押し込むことにより、確かに、上記「固定装置」を接地面に対して吸着させることができるが、上記荷重受部を下側へ押し込めば押し込む程、乳児が着座する座面が凹むことになる。
【００１３】
これは、乳児の上記「固定装置」に対する座り心地を悪化させるばかりではなく、乳児の姿勢に悪影響を及ぼすことにもなる。  
つまり、上記「固定装置」は、接地面に対して安定して接地させるために、座り心地などの面で、弊害が生じてしまう。
【００１４】
仮に、上記弊害を考慮しないとしても、上記「固定装置」は、上記荷重受部を中空室内に押し込むことでのみ吸着力を得る構成を採るため、強力な吸着力を得るために、中空室は、上記荷重受部を充分押し込めるだけの容量を確保する必要があり、結果的に上記「固定装置」全体が大型化してしまうという問題も有する。
【００１５】
他の問題点として、上記「固定装置」は、仕切り部に小孔を設けることで、胴体部の中空室と脚部の中空室とを連通状態に構成している。  
しかし、上記「固定装置」は、上記２つの中空室を具備するため、構成が複雑になり、そればかりか、仕切り部に設けた小孔を通じて、蒸気、水滴などの水分が上記胴体部の中空室に入り込んでしまう事態が生じてしまう。しかも、胴体部の中空室は、その略全体が密閉されているという形態上、水分が除去され難く、水分が残留してしまい、衛生的でないという問題も生じてしまう。
【特許文献１】特許第３１２７２８６号公報
【発明の開示】
【発明が解決しようとする課題】
【００１６】
そこで本発明では、座面の所定部位を、快適な座り心地が確保されるよう少し凹ませるだけで、強力に地面に吸着させて接地することができる乳児用椅子の提供を目的とする。
【課題を解決するための手段】
【００１７】
本発明の乳児用椅子は、接地面に吸着させて接地する乳児用椅子であって、外周側に環状に配した環状部を備え、変形した自らの形状を復元させる復元力が作用する復元手段を、上記環状部の中央側に備え、上記復元手段の下方に、該復元手段と上記環状部とで構成され、下方へ向けて開口した空間部を備え、上記復元手段を、内部に流体を充填可能とする流体充填部により構成したことを特徴とする。
【００１８】
上記復元手段は、例えば、内部に流体を充填可能とする流体充填部により構成する。これにより、流体充填部が変形したとき、該流体充填部の内部に充填した流体が圧縮されることによる流体圧（内圧）を、変形したとき自らの形状を復元させる復元力として作用させることができる。
【００１９】
但し、本発明の乳児用椅子は、復元手段に相当する部位以外の部位についても、上記流体充填部と同様に、流体を充填可能な構成で形成してもよいが、その他にも、ゴムなどの弾性部材、合成樹脂、或いは、これらの部材を組み合わせて全体を形成することもできる。
【００２０】
また、通常、風呂の床面は、滑り易いため、本発明の乳児用椅子は、風呂の床面に接地して用いる場合に特に、適しているといえるが、勿論、このような接地態様、使用用途のみに限定するものではない。
【００２１】
具体的に、本発明の乳児用椅子は、コンクリート、フローリング、絨毯、或いは、屋外の地面などの様々な接地場所に適宜、接地して用いることもでき、接地面が金属、ガラスなど接地面の材質についても限定しない。さらに、例えば、椅子の座面上に接地して座面を高くして用いたり、乳児を散髪する場合において乳児を定位置に留めておきたい場合に用いたりするなど、その用途についても限定せず、様々な接地態様、用途で用いることができる。
【００２２】
さらに、本発明の乳児用椅子は、着座した乳児を支持する支持部を、前記復元手段の中央側に備え、上記支持部を、上記復元手段を介して上記環状部に張設したことを特徴とする。
【００２３】
上記乳児用椅子は、前記流体充填部と前記環状部との境界部、又は／及び、前記流体充填部と前記支持部との境界部に、それぞれを別空間に区分けする区分け部を具備することもできる。
【００２４】
上記復元手段は、該復元手段における上記環状部の近傍側部位を、所定の厚みを確保して構成するとともに、上記復元手段における上記支持部の近傍側部位を、上記環状部の近傍側部位と比較して薄肉に形成することが好ましい。
【００２５】
また、上記支持部には、乳児が着座しても変形しない強度を有する芯材を具備することが好ましい。
【００２６】
上記乳児用椅子は、上記支持部が下方に押圧されるに伴って、着座した乳児の側に傾斜させて該乳児を背面側部分と股間部分との両側から保持する保持部を、上記環状部における上部側から立設させてもよい。
【発明の効果】
【００２７】
請求項１に係る発明によれば、乳児用椅子は、空間部から空気を排出させたことにより生じる吸着力だけでなく、復元手段が変形前の形状に復元しようと作用する復元力も含めた吸着力により接地面に対して吸着するため、接地面に対して安定して接地することができる。
【００２８】
すなわち、上記復元手段を少し押し下げるだけでも、強力な吸着力のもとで接地することができる。このため、乳児用椅子を容易に安定して接地することができるとともに、上記復元手段を過度に押し下げる必要がないため、乳児の座面に対する座り心地を快適な状態に保つことができる。
【００２９】
しかも、上記復元手段を、少し押し下げるだけで安定して接地できるため、結果的に空間部は、小さな容積で足りる。よって、乳児用椅子は、座面を低く形成したり、全体をコンパクトに形成したりするなど様々な形態で構成することが可能となる。
【００３０】
また、流体を充填した復元手段を変形させたとき、上記流体充填部の内部に充填した流体の圧縮力（内圧）を活かして復元力を積極的に作用させることができる。従って、このような構成であっても、やはり乳児用椅子を安定して接地させることができる。
【００３１】
しかも、上記流体充填部は、内部に流体を充填した構成であるため、弾力性を確保でき、不使用時においては、流体を排出すれば、コンパクトに収容することができ、特に、流体が空気である場合には、全体を軽量化することができる。
【００３２】
請求項２に係る発明によれば、支持部を、復元手段を介して環状部に張設させた構成を採るため、支持部に対して外周側に有する復元手段は、積極的に支持部を押し上げる方向に復元力が作用する。結果的に、乳児用椅子は、強力な吸着力を得ることができる。
【００３３】
請求項３に係る発明によれば、乳児用椅子は、区分け部により流体充填部のみを他の部位（例えば、環状部、又は／及び、支持部）と区分けして構成することができる。このため、流体充填部の流体のみを他の部位と独立して外部に排出したり、注入したりを自在に行うことができる。また、他の部位（環状部、又は／及び、支持部）についても、流体を充填して形成するに限らず例えば、綿や発泡ウレタン部材など流体充填部とは別部材で形成することもできる。
【００３４】
請求項４に係る発明によれば、上記復元手段における上記支持部の近傍側部位は、薄肉に形成することにより、上記支持部が押し下げられたとき、復元手段は、上記近傍側部位を中心として、積極的にたわみ変形させることができる。さらに、上記復元手段における上記環状部の近傍側部位を所定の幅（厚み）を具備して形成することにより、座面が過度に凹むことを防止することを防止することができるとともに、たわみ変形した形態を復元させようとする強力な復元力を作用させることができる。  
よって、上記形態を採る復元手段は、全体として効率的に復元力を得ることができ、強力な吸着力を得ることができる。
【００３５】
請求項５に係る発明によれば、支持部内に芯材を具備させることにより、乳児が着座したことによる荷重を受けて支持部が屈曲してしまうことがなく、その形態を略水平に保つことができる。  
よって、乳児用椅子を接地面に対してしっかりと接地させた状態で、良好な座り心地を確保することができる。
【００３６】
請求項６に係る発明によれば、乳児用椅子を接地面に対して安定させて接地することができるのみならず、乳児が着座部に対して滑り落ちたり、前ズレしたりしてしまうこともなく乳児を定位置において安定して保持しておくことができる。
【発明を実施するための最良の形態】
【００３７】
この発明の一実施形態を、以下図面を用いて説明する。
【実施例１】
【００３８】
図１は、本実施形態における乳児用流体入座椅子１１の外観を示すとともに、乳児Ａが乳児用流体入座椅子１１に着座している様子を示す（仮想線参照）。
【００３９】
上記図１に示したように、上記乳児用流体入座椅子１１は、その表面の略全体を袋状に形成した可撓性、及び、撥水性を有する塩化ビニール樹脂製のシート部材１７により形成し、該シート部材１７内に空気を充填させることにより図１に示した座椅子形型の形態で形成している。
【００４０】
上記乳児用流体入座椅子１１は、その下側外周部に平面視円環状をし、床面Ｂに対して接地される円環部１２を具備している。さらに、上記円環部１２に対して中央部位における上部側には、主として乳児Ａの臀部を支持し、乳児Ａの略全荷重を受ける支持部１３を具備している。上記支持部１３は、図２、及び、図３に示したように、形状復元部とも称する空気充填部１４を介して上記円環部１２に対して張架されている。  
上記円環部１２と、空気充填部１４とは、それぞれ空気を充填して形成しているとともに、内部において互いに連通した状態で一体に形成している。
【００４１】
上記支持部１３には、合成樹脂製の部材を円板状に形成した芯材１３ａが埋設されている。上記芯材１３ａは、乳児Ａが着座することによる荷重を受けても屈曲変形しない強度を有して形成している。
【００４２】
さらに、空気充填部１４は、自身の形状を自発的に復元する復元力を作用させるべく、該空気充填部１４自体の形態、他の部位（円環部１２、及び、支持部１３）に対する取り付け形態、或いは、構成材質などを他の部位と異なる構成により構成している。
【００４３】
具体的に、上記空気充填部１４は、シート部材１７内に空気を充填することより、上記乳児用流体入座椅子１１の座面に相当する部位に構成している。さらに、上記空気充填部１４は、平面視略円形をした乳児用流体入座椅子１１の半径方向における上下方向についての断面形態を、上記円環部１２の近傍部位側については、所定の幅（厚み）を確保させて形成し、上記支持部１３の側へ近づくにつれて、徐々に上下方向について幅小になるよう構成している。
【００４４】
上記所定の幅（厚み）とは、内部に充填した空気の内圧により空気充填部１４の形状を自発的に復元させようとする復元力を積極的に作用させることができる幅（厚み）である。
【００４５】
上記乳児用流体入座椅子１１は、支持部１３、及び、空気充填部１４における下方側においては、空間部１８を具備している。上記空間部１８は、乳児用流体入座椅子１１を底面視したとき、該乳児用流体入座椅子１１の底面部１２ａ（下端部）における中央部位が凹状に窪んで開口している部位に相当し、上記円環部１２、及び、空気充填部１４が該凹状に窪んだ部位の凹底部に相当するよう形成している。
【００４６】
また、上記円環部１２の上部には、上半身保持部１５、及び、前ズレ防止用保持部１６を立設している。
【００４７】
上記上半身保持部１５、及び、上記前ズレ防止用保持部１６は、それぞれ、シート部材１７に対して空気が充填された内部において互いに連通した状態で、外側からは、段状に積載した形態になるよう一体に形成している。
【００４８】
上記上半身保持部１５は、乳児Ａが着座したとき、円環部１２における背面側、及び、左右両側に対応する部位に具備している。すなわち、上記上半身保持部１５は、節状に形成した部材を平面視略Ｕ字形に円環部１２に対して立設させている。  
なお、ここで、上記上半身保持部１５における背面側部位を、乳児Ａの背凭れとなる背凭れ部１５ａに設定し、上記上半身保持部１５における左右各側部位を、乳児Ａの肘掛けとなる肘掛部１５ｂに設定する。
【００４９】
さらに、上記上半身保持部１５における上記背凭れ部１５ａに相当する部位であって、その上部には、着座した乳児Ａの補助的な背凭れとなる補助背凭れ部１５ｃを、段状に形成している。
【００５０】
一方、上記前ズレ防止用保持部１６は、円環部１２における上記円環部１２の前側であって、着座した乳児Ａの股下に相当する部位から乳児Ａの腹部に対向する高さにまで立設させている。
【００５１】
本実施形態における乳児用流体入座椅子１１は、上述したように形成するものとし、以下、例えば、水で塗れた滑り易い風呂場の床面Ｂに乳児用流体入座椅子１１を接地させて用いる場合を採り上げ、乳児用流体入座椅子１１が奏する作用、効果について説明する。  
床面Ｂに接地した状態の乳児用流体入座椅子１１に対して、乳児Ａが着座したとき、乳児Ａの臀部は、主に支持部１３に支持された状態となる。このため、支持部１３には、乳児Ａが着座したことによる荷重が付与されることとなり、該支持部１３は、下方へ、すなわち、上記空間部１８の側へ押し下げられる。
【００５２】
このとき、支持部１３の下側に有する空間部１８は、支持部１３が押し下げられたことにより空間部１８に有する空気の一部が、乳児用流体入座椅子１１下端部（床面Ｂと底面部１２ａとの間）を通じて、該空間部１８の外側へ排出されることになる。
【００５３】
支持部１３を押し下げるまでは、乳児用流体入座椅子１１の外側の圧力（外気圧）と略等しかった空間部１８の内圧は、外気圧と比較して減圧される。このため、乳児用流体入座椅子１１と床面Ｂとの間において、吸着力が発生することになる。
【００５４】
実施例１に係る乳児用流体入座椅子１１は、上述した空間部１８内を上記減圧させることによる吸着力に加えて、さらに、乳児Ａが着座することにより撓み変形した空気充填部１４の復元力により生じる吸着力も得ることができる。
【００５５】
具体的には、乳児用流体入座椅子１１に乳児Ａが着座したとき、支持部１３が下方に押し下げられるが、この乳児Ａが着座することによる荷重を利用して、空気充填部１４を積極的にたわみ変形させることができる。結果的に、図４に示したように、このたわみ変形による復元力（Ｆ）によって、より吸着力を高めることができる。
【００５６】
すなわち、上記復元力は、シリンダ内をピストン運動するピストンをシリンダに対して引き上げる際におけるピストンの引き上げ力のように作用させることができるため、空間部１８を減圧したことによる吸着力に加えて、さらに吸着力を高めることができる。
【００５７】
そして、このような空気充填部１４は、上記支持部１３に対して外周側に配しているため、図５に示したように、該支持部１３に外周全体から積極的に支持部１３を持ち上げようとする方向に復元力（Ｆ）を作用させることができる。
【００５８】
上述により、実施例１に係る乳児用流体入座椅子１１は、以下に示す様々な効果を奏することができる。
【００５９】
空間部１８の気圧を減圧させることにより生じる吸着力に加えて、座面に具備した空気充填部１４を変形させることにより生じる復元力も吸着力として活かすことができる。従って、乳児用流体入座椅子１１は、床面Ｂに対して強力に接地することができる。
【００６０】
例えば、乳児用流体入座椅子１１は、着座している乳児Ａが動いても、しっかりと床面Ｂに対して接地した状態を維持することができる。
【００６１】
さらに、支持部１３を少し押し下げるだけでも強力な吸着力を得ることができるため、座面を過度に凹ませる必要がないため、快適な座り心地を保つことができる。また、空間部１８の容量も大きくする必要がないため、全体をコンパクトに構成することができる。
【００６２】
加えて、上記復元力は、空気充填部１４を撓み変形させることにより発生させるが、該空気充填部１４を意図的に撓み変形させなくても、乳児Ａが着座することにより支持部に付与する荷重を利用することができるため、空気充填部１４を容易にたわみ変形させて復元力を作用させることができる。
【００６３】
また、上記上半身保持部１５、及び、上記前ズレ防止用保持部１６を具備することにより、座面に対して着座している乳児Ａが滑り落ちたり前ズレしたりしないようしっかりと保持することができる。
【実施例２】
【００６４】
以下、実施例２に係る乳児用流体入座椅子２１について以下、説明するが、実施例１に係る乳児用流体入座椅子１１を構成する各部に対応する部位と同様の構成については、その説明を省略し、特に、異なる構成を中心に説明する。  
実施例２に係る乳児用流体入座椅子２１は、シート部材１７の内部において略全体に対して空気を充填させずに形成している点で実施例１に係る乳児用流体入座椅子１１と構成が特に異なる。
【００６５】
具体的に、実施例２に係る乳児用流体入座椅子２１は、図６（ａ）に示したように、円環部２２、上半身保持部２５、及び、前ズレ防止用保持部２６については、発泡ウレタン部材２９により弾性を有して形成するとともに、空気を充填させた状態の実施例１に係る円環部１２、上半身保持部１５、及び、前ズレ防止用保持部１６と略同様の形態により形成している。  
なお、上記乳児用流体入座椅子２１は、その外周部位全体をシート部材１７により被覆して形成しているとともに、支持部１３についても、芯材１３ａを具備して形成し、実施例１に係る乳児用流体入座椅子１１と同様に形成している。
【００６６】
また、上記形状復元部についても、実施例１に係る空気充填部１４と同様に、シート部材１７の内部に空気を充填させた空気充填部２４により形成している。  
但し、上記空気充填部２４は、該空気充填部２４と隣接する円環部２２、及び、支持部１３とを区分けして形成し、内部に密封空間を形成している。ちなみに、円環部２２との境界部に相当する部位については、区分け部２４ａを介在させることにより、空気充填部２４と円環部２２とを区分けしている（図６（ａ）参照）。
【００６７】
さらに、上記乳児用流体入座椅子２１は、上記円環部２２における正面視左側部位に、上記空気充填部２４に対して、空気の注入、又は、排出を可能とする空気通用路２８を具備している。上記空気通用路２８は、図６（ｂ）に示したように、発泡ウレタン部材２９が充填された円環部２２内に配され、乳児用流体入座椅子２１に対して外周側と空間部１８とを連通可能に形成している。
【００６８】
上記空気通用路２８の長さ方向における外側に向けて開口する側の開口部２８ａの口縁には、栓部材２８ｂを具備し、該開口部２８ａを栓止可能に形成している（図６（ａ）の一部拡大図参照）。これにより、上記空気充填部２４に対して空気の注入、或いは、排出が可能に形成している。
【００６９】
実施例２に係る乳児用流体入座椅子２１は、上述したように構成している。  
上記構成を採る乳児用流体入座椅子２１における、空気充填部２４についても、空気を充填させて形成しているため、図７（ａ）に示したように、空気充填部２４を変形させたとき、充填した空気が圧縮されることにより高くなる空気圧（空気充填部２４の内圧）を利用して、自らの形状を復元しようとする復元力を作用させることができる。
【００７０】
すなわち、実施例２に係る乳児用流体入座椅子２１のように、少なくとも空気充填部２４のみ空気を充填させた形態であっても、上述した実施例１に係る乳児用流体入座椅子１１と同様に本発明特有の作用、効果を奏することができる。
【００７１】
このため、勿論、円環部２２、上半身保持部２５、及び、前ズレ防止用保持部２６については、発泡ウレタン部材２９に限定せず、例えば、弾性ウレタン部材で形成したり、綿などを充填させて形成したりするなど他の部材で形成してもよい。
【００７２】
逆に、例えば、乳児用流体入座椅子２１は、実施例１の乳児用流体入座椅子２１のように支持部１３を除いた部位、或いは、全ての部位を、空気を充填させた構成で形成してもよく、円環部２２と空気充填部２４とを区分けする区分け部２４ａを介在させた状態で、円環部２２、及び、空気充填部２４とは、独立した空間が構成されるよう形成することができる。
【００７３】
ちなみに、このような構成を採る場合、例えば、上記空気充填部２４用の上記空気通用路２８とは別に、該円環部２２、上記上半身保持部２５、及び、上記前ズレ防止用保持部２６に対して適宜、空気の注入、或いは排出を行うための空気通用口を、例えば、円環部２２における底面部２２ａ（下端部）に形成するとよい。（図示せず）。  
上述した構成を採れば、空気充填部２４のみを他の部位と独立して収縮させたり、膨張させたりすることができるため、乳児Ａが着座しているか否かに関わらず復元力の強さを容易に調節することもできる。
【００７４】
例えば、開口部２８ａに対して栓部材２８ｂを抜いて、空気充填部２４内の空気を外部に排出すれば、図７（ｂ）に示したように、空気充填部２４は、収縮し、復元力（Ｆ）が作用しないようにすることができる。  
さらに、支持部１３の外周側に有する空気充填部２４が収縮することになるため、該空気充填部２４によって張設されていた支持部１３は、下降する（図７（ｂ）参照）。  
これにより、空間部１８の容積が減少するため、空間部１８の内圧は、外圧と略等しくなる。従って、吸着力は、殆ど作用しなくすることができ、乳児Ａを沐浴させた後は、このような一連の手順を踏めば床面Ｂに対して乳児用流体入座椅子２１の取り外しを容易に行える。
【００７５】
また、乳児用流体入座椅子２１には、空気通用路２８を具備せず、例えば、シート部材１７における空気充填部２４に相当する部位に直接、空気注入口を形成しても勿論、構わない。
【００７６】
但し、実施例２に係る乳児用流体入座椅子２１のように空気充填部２４内に対しての空気の注入、或いは、排出を、空気通用路２８を通じて行う構成とし、空気通用路２８における開口部２８ａを円環部２２の左側部位に具備した構成を採れば以下のような効果を奏することができる。
【００７７】
すなわち、乳児Ａが栓部材２８ｂを開口部２８ａに対して着脱する際の妨げになることがないため、乳児用流体入座椅子２１の接地場所を移動させようとした場合に、乳児Ａが着座した状態のまま、栓部材２８ｂを開口部２８ａから抜いて床面Ｂに対する吸着を容易に解除することができる。
【００７８】
さらに、円環部２２における栓部材２８ｂの有する部位の上部には保持部（特に肘掛け部１５ｂ）を有するため、該栓部材２８ｂの有する部位にまで乳児Ａの手が届くことを防止することができ、乳児Ａが不用意に栓部材２８ｂを抜いてしまうことがない。
【実施例３】
【００７９】
次に実施例３に係る乳児用流体入座椅子３１について説明する。  
本実施例に係る乳児用流体入座椅子３１は、図８（ａ）に示したように円環部３２における正面視左側部位に乳児用流体入座椅子３１の外側と空間部１８とを連通可能とする空気通用路３９を具備している。なお、上記空気通用路３９の長手方向における開口部側端部には、栓部材を具備し、該栓部材を開口部に対して着脱することにより空間部１８内に空気を充填した状態を維持する、或いは、外部に排出することができる。
【００８０】
上記構成によって、栓部材を開口部から抜いて乳児用流体入座椅子３１の外側と空間部１８とを連通状態とすることにより、空間部１８の圧力を外気圧と略等しくすることができる。このように連通状態にすれば、空気充填部１４が変形することにより復元力が作用することによって生じていた吸着力も解除することができる。従って、本実施例に係る乳児用流体入座椅子３１であっても床面Ｂに対しての取り外などを容易に行える。
【実施例４】
【００８１】
次に実施例４に係る乳児用流体入座椅子４１について説明する。
【００８２】
本実施形態に係る乳児用流体入座椅子４１は、図８（ｂ）に示したように、形状復元部を、弾性部材４４により形成している点で他の前述した他の実施例に係る乳児用流体入座椅子１１，２１，３１と構成が異なる。
【００８３】
なお、実施例４に係る乳児用流体入座椅子４１においても、円環部、支持部などの各部位を、空気を充填させた形態で形成したり、他の部材を充填させた形態で形成したりしてもよいが、実施例４に係る乳児用流体入座椅子４１では、円環部４２は、空気を充填させた形態で形成している。
【００８４】
上記弾性部材４４は、他の実施例に係る内部に空気を充填させた空気充填部１４，２４と略同様の形状で形成し、シート部材１７を被覆して形成している。  
上記弾性部材３４は、例えば、ウレタン部材、ゴム、シリコンなどの材質で形成することができ、特定の材質に限定しないが、曲げ弾性係数の高い材質で形成しているため、撓み変形させたとき、元の形状に積極的に復元しようとする。
【００８５】
上記構成を採る乳児用流体入座椅子４１に乳児Ａが着座すれば、その荷重により支持部１３が押し下げられ、弾性部材４４は、たわみ変形するため、復元力を積極的に作用させることができる。
【００８６】
この復元力は、上述した空気圧による復元力とは異なり、上記弾性部材３４の曲げ弾性力により作用する力であるが、本実施例４に係る乳児用流体入座椅子４１も、床面Ｂに対して強力な吸着力で吸着させて接地することができることをはじめ、上述した他の実施例に係る乳児用流体入座椅子１１，２１，３１と同様の作用、効果を奏することができる。
【実施例５】
【００８７】
最後に実施例５に係る乳児用流体入座椅子５１について説明する。
【００８８】
形状復元部は、上記形態に限定せず、例えば、実施例５に係る乳児用流体入座椅子５１のように、座面の外周部を除いた１部位に具備する形態であればよい。
【００８９】
すなわち、形状復元部は、図９に示したように、座面中央全体を、空気を充填して所定の厚みを確保して形成した空気充填部５４を具備している。上記空気充填部５４は、直接、乳児Ａが臀部を載置するため、上述した支持部としての機能も具備している。
【００９０】
上記乳児用流体入座椅子５１であっても、乳児が着座したとき、形状復元部が湾曲状に撓み変形して復元力を作用させることができる。
【００９１】
その他にも、上述した乳児用流体入座椅子１１，２１，３１，４１，５１は、図示しないが、床面Ｂに接地したとき、円環部に対して外周側に末広がり状となり接地することができる円環状の部材を、円環部に相当する部位に対してさらに下部に具備して構成してもよい。上記構成を採る乳児用流体入座椅子を床面Ｂに接地すれば、円環状の部材を吸盤として機能させることができる。  
このように、本発明に係る乳児用流体入座椅子は、上記実施例の形態に限定せず、様々な構成で形成することができる。
【００９２】
また、上述の実施形態と、この発明の構成との対応において、この実施形態の乳児用流体入座椅子１１，２１，３１，４１，５１は、この発明の乳児用椅子に対応し、以下同様に、
円環部１２，２２，３２，４２は、環状部に対応し、
空気充填部１４，２４，５４（形状復元部）、又は、弾性部材４４（形状復元部）は、復元手段に対応し、
上半身保持部１５、又は／及び、前ズレ防止用保持部１６は、保持部に対応し、
床面Ｂは、接地面に対応し、
空気Ｃは、流体に対応するも、
この発明は、上述の実施形態の構成のみに限定されるものではなく、上述したように多くの実施の形態を得ることができる。
【図面の簡単な説明】
【００９３】
【図１】実施例１に係る乳児用流体入座椅子の使用状態を示す外観図。
【図２】実施例１に係る乳児用流体入座椅子の前後方向における断面図。
【図３】実施例１に係る乳児用流体入座椅子を片断面で示した正面図。
【図４】実施例１に係る乳児用流体入座椅子を一部拡大して示した作用説明図。
【図５】実施例１に係る乳児用流体入座椅子の使用状態における作用説明図。
【図６】実施例２に係る乳児用流体入座椅子を片断面で示した正面図（ａ）、図６（ａ）におけるＡ―Ａ端面図（ｂ）。
【図７】実施例２に係る乳児用流体入座椅子の使用状態における作用説明図（ａ）、実施例２に係る乳児用流体入座椅子の他の使用状態における作用説明図（ｂ）。
【図８】実施例３に係る乳児用流体入座椅子を片断面で示した正面図（ａ）、実施例４に係る乳児用流体入座椅子を片断面で示した正面図（ｂ）。
【図９】実施例５に係る乳児用流体入座椅子の前後方向における断面図。
【符号の説明】
【００９４】
１１，２１，３１，４１，５１…乳児用流体入座椅子（乳児用椅子）
１２，２２，３２，４２…円環部
１４，２４，５４…空気充填部（形状復元部、或いは、流体充填部）
４４…弾性部材（形状復元部）
１５…上半身保持部
１６…前ズレ防止用保持部
１３…支持部
１３ａ…芯材
１８…空間部
２４ａ…区分け部
【図１】
0004156607.tif 000002
【図２】
0004156607.tif 000003
【図３】
0004156607.tif 000004
【図４】
0004156607.tif 000005
【図５】
0004156607.tif 000006
【図６】
0004156607.tif 000007
【図７】
0004156607.tif 000008
【図８】
0004156607.tif 000009
【図９】
0004156607.tif 000010